(57)【要約】【課題】蛍光灯を使用しない電子黒板を提供する。【解決手段】点光源３１２と、筆記用のスクリーンの搬送方向と直交する方向に延び長手方向端部に設けられた点光源３１２の光を拡散してスクリーンに光を照射する拡散導光体３１１と、を設け、拡散導光体３１１が照射してスクリーンにより反射された光を光学系が集光し、集光された光をセンサが受光するようにした。【選択図】図４
2007320048.tif 000002
【特許請求の範囲】
【請求項１】
筆記用のスクリーンと、
前記スクリーンを搬送させる搬送部と、
点光源と、
前記スクリーンの搬送方向と直交する方向に延び長手方向端部に設けられた前記点光源の光を拡散して前記スクリーンに光を照射する拡散導光体と、
前記拡散導光体が照射して前記スクリーンにより反射された光を集光する光学系と、
前記光学系により集光された光を受光するセンサと、
を備える電子黒板。
【請求項２】
前記拡散導光体は、光を拡散させる光拡散材を含有するアクリル棒である、請求項１記載の電子黒板。
【請求項３】
前記光拡散材は、気泡である、請求項２記載の電子黒板。
【請求項４】
前記アクリル棒は、前記光拡散材を当該アクリル棒の端部よりも中心部に多く含有する、請求項２又は３記載の電子黒板。
【請求項５】
前記点光源は、白色ＬＥＤである、請求項１ないし４いずれか一記載の電子黒板。
【請求項６】
前記拡散導光体は、前記白色ＬＥＤの光を受けて特定の波長の色を発する蛍光材を含有する、請求項５記載の電子黒板。
【請求項７】
前記点光源は、赤色ＬＥＤと緑色ＬＥＤと青色ＬＥＤとで構成された３色ＬＥＤである、請求項１ないし４いずれか一記載の電子黒板。
【請求項８】
前記３色ＬＥＤを切り替えて各色点灯させて、前記センサに前記スクリーンに筆記された画像を画像データとして読み取らせる手段と、
前記読み取られた画像データに基づきカラー画像データを取得するカラー画像処理を実行する手段と、
を備える請求項７記載の電子黒板。
【発明の詳細な説明】
【技術分野】
【０００１】
本発明は、電子黒板に関する。
【背景技術】
【０００２】
従来、エンドレス状の筆記用スクリーンを搬送して、このスクリーンに筆記された画像を画像データとして読み取る電子黒板がある（例えば、特許文献１参照）。一般的に、この種の電子黒板はスクリーンの背面側に、スクリーンの搬送方向と直交する方向に延びた蛍光灯を備えており、この蛍光灯が回転するスクリーンに光を照射し、その反射光が光学系により集光され、集光された光をＣＣＤ等のセンサが受光することで、スクリーンに筆記された画像を画像データとして読み取っている。
【０００３】
【特許文献１】特開平２−０３２８９８号公報
【発明の開示】
【発明が解決しようとする課題】
【０００４】
ところで、蛍光灯には有害物質である水銀が微量ながら含まれているが、現在、使用済みとなった蛍光灯の多くがリサイクルされずに不燃ごみとしてそのまま埋め立て処分されている。したがって、水銀が環境に与える影響を考慮すると、蛍光灯の使用はなるべく抑えることが望ましい。
【０００５】
また、蛍光灯は点灯開始から光量の安定までに時間がかかることから、電子黒板で蛍光灯を使用する場合にはスタンバイ中も蛍光灯を点灯していることが必要で、無駄な電力を要することになるため、その点からも蛍光灯を使用しない電子黒板が望まれている。
【０００６】
本発明の目的は、蛍光灯を使用しない電子黒板を提供することである。
【課題を解決するための手段】
【０００７】
本発明の電子黒板は、筆記用のスクリーンと、前記スクリーンを搬送させる搬送部と、点光源と、前記スクリーンの搬送方向と直交する方向に延び長手方向端部に設けられた前記点光源の光を拡散して前記スクリーンに光を照射する拡散導光体と、前記拡散導光体が照射して前記スクリーンにより反射された光を集光する光学系と、前記光学系により集光された光を受光するセンサと、を備える。
【発明の効果】
【０００８】
本発明によれば、蛍光灯を使用しない電子黒板を提供することができる。
【発明を実施するための最良の形態】
【０００９】
本発明の実施の一形態を図面に基づいて説明する。
【００１０】
図１は、電子黒板１０１を示す斜視図である。電子黒板１０１は、一対のスタンド１０２によって長方形のフレーム１０３が支持されている。フレーム１０３はエンドレス状の筆記用のスクリーン１０４を収納し、このスクリーン１０４におけるフレーム１０３の前面側の開口部１０３ａから外部に露出した部分が、マーカーペン等によって文字や図形等の画像が筆記される筆記面１０４ａとなる。スクリーン１０４は一例としてポリエチレン製である。
【００１１】
また、フレーム１０３には、電子黒板１０１を操作するための各種のキー１０５を有する操作パネル１０６が一体的に設けられており、さらに、フレーム１０３右下には、ＣＣＤ３０４（図２及び図３参照）によって読み取られた画像データを用紙（図示せず）に印刷して発行するためのプリンタ１０８が設けられている。
【００１２】
図２は電子黒板１０１の内部構造を概略的に示す平面図であり、図３はその正面図である。
【００１３】
フレーム１０３内の左右両端部にはスクリーン１０４を回転して搬送させる搬送部として一対のローラ２０１が設けられている。ローラ２０１は上下方向の軸心を有するもので、一対のローラ２０１間にはエンドレス状のスクリーン１０４が掛け渡されて、一方のローラ２０１には図示しないベルト伝動機構を介してモータ２０２（図５参照）が連結されている。そして、モータ２０２が駆動するとベルト伝動機構を介してローラ２０１が回転し、このローラ２０１の回転によりスクリーン１０４が左右方向に回転搬送される。
【００１４】
また、スクリーン１０４の筆記面１０４ａのすぐ背後には、筆記面１０４ａに対する筆記性を確保するための筆記ボード２５１が配設されている。
【００１５】
そして、スクリーン１０４の筆記面１０４ａと反対側（以下、スクリーン１０４の背面側と称する）には、筆記面１０４ａに筆記された画像を画像データとして読み取るための読取部２０３が設けられており、この読取部２０３は、スクリーン１０４の背面側であって一方のローラ２０１側に位置させてスクリーン１０４に光を照射するための照射部３０１を有している。
【００１６】
スクリーン１０４の背面側に設けられた照射部３０１は、ランプホルダ３２１に保持されて点灯する点光源３１２と、スクリーン１０４の搬送方向と直交する方向に延び長手方向端部に設けられた点光源３１２の光を拡散する拡散導光体３１１と、を有している。
【００１７】
さらに、電子黒板１０１は、読取部２０３の一部として、ミラー３０２及びレンズ３０３を有し拡散導光体３１１が照射してスクリーン１０４により反射された光を集光する縮小光学系である光学系３０５と、光学系３０５により集光された光を受光するセンサとしてのＣＣＤ３０４とを備えている。
【００１８】
図４は、照射部３０１の一例を示す斜視図である。図４に示すように、拡散導光体３１１の両端部は点光源３１２を保持するランプホルダ３２１に嵌め込み固定されている。
【００１９】
点光源３１２は、白色光を発する白色ＬＥＤである。点光源３１２である白色ＬＥＤはランプホルダ３２１に保持されており、点灯回路４１２に接続されてその点灯が制御される。なお、点光源３１２は、蛍光灯でなければよく、白色ＬＥＤに限ることはない。
【００２０】
拡散導光体３１１は、光を伝送する機能を有するアクリル樹脂製のアクリル棒である。拡散導光体３１１であるアクリル棒は、一方向に延びた円柱状であり、この長手方向がスクリーン１０４の搬送方向と直交する方向になっている。また、拡散導光体３１１であるアクリル棒の両端部の端面は、点光源３１２である白色ＬＥＤの光を通し易いように滑らかに磨かれている。これにより、点光源３１２である白色ＬＥＤの光が拡散導光体３１１であるアクリル棒に導入されて、導入された光はアクリル棒内部を伝送される。
【００２１】
また、拡散導光体３１１であるアクリル棒は、導入された光を拡散させる光拡散材３１５を含有している。光拡散材３１５は、一例として、気泡である。光拡散材３１５である気泡の屈折率は、拡散導光体３１１であるアクリル棒の屈折率と異なるため、導入された光の光拡散が発現する。なお、光拡散材３１５としては、気泡に限ることはなく、拡散導光体３１１であるアクリル棒の屈折率とは異なる屈折率を有する無機粒子や有機粒子等であってもよい。例えば、透明性の高いシリカビーズが使用可能である。
【００２２】
さらに、拡散導光体３１１であるアクリル棒は、図４に示すように、気泡等の光拡散材３１５をアクリル棒の端部よりも中心部に多く含有している。これにより、点光源３１２からの光が到達し難い中心側でより多く光拡散を発現させることができる。
【００２３】
なお、拡散導光体３１１であるアクリル棒は、スクリーン１０４に光を照射することができれば、その形状は円柱状に限られない。
【００２４】
ところで、黒色のマーカーペンと黒色以外の色のマーカーペンとを用いてスクリーン１０４の筆記面１０４ａに画像が筆記された場合、黒色で筆記された部分に比べて黒色以外の色で筆記された部分は、拡散導光体３１１が照射した光を反射し易く、ＣＣＤ３０４によって読み取られた画像データをプリンタ１０８で印刷した場合には、その部分の濃度が薄くなってしまうことがある。
【００２５】
そこで、拡散導光体３１１であるアクリル棒は、そのアクリル樹脂中に蛍光材を含有している。この蛍光材は、点光源３１２である白色ＬＥＤが発する光を受けて励起して特定の波長の色を発する。ここで、例えば、蛍光材が波長約５３０ｎｍの緑色を発する場合、赤色（波長約６５０ｎｍ）や青色（波長約４８０ｎｍ）で筆記面１０４ａに画像が筆記された場合には、赤色や青色の画像はこの緑色光を吸収して反射しないため、ＣＣＤ３０４によって読み取られた画像データをプリンタ１０８で印刷しても、黒色で筆記された画像と同様に濃く印刷されることになる。
【００２６】
図５は、電子黒板１０１のハードウェア構成を示すブロック図である。電子黒板１０１は、各種の動作を制御するＣＰＵ４０１を備えており、このＣＰＵ４０１には、制御プログラム等の固定データを記憶するＲＯＭ４０２と、各種データを一時的に記憶しワークエリアとして使用されるＲＡＭ４０３とがバスライン４１１を介して接続されている。また、ＣＰＵ４０１には、操作パネル１０６、プリンタ１０８、モータ２０２がそれぞれ入出力回路（いずれも図示せず）とバスライン４１１とを介して接続されている。
【００２７】
そして、ＣＰＵ４０１には、点光源３１２に接続されてこの点光源３１２の点灯を制御する点灯回路４１２がバスライン４１１を介して接続されている。
【００２８】
また、ＣＰＵ４０１には、ＣＣＤ３０４に接続されてこのＣＣＤ３０４によって読み取られた画像データを印刷データの状態に変換処理する画像処理部４１３がバスライン４１１を介して接続されている。画像処理部４１３は、各種処理回路や各種処理実行時に参照される設定内容が格納されたメモリ部（いずれも図示せず）等により構成されている。
【００２９】
このような構成において、電子黒板１０１では、操作パネル１０６が有する所定のキー１０５が押下された場合、ＲＯＭ４０２に格納された制御プログラムに従いＣＰＵ４０１により次のような処理が実行される。まず、点灯回路４１２の動作により点光源３１２が点灯して、モータ２０２が回転駆動する。これにより、拡散導光体３１１が発光して搬送するスクリーン１０４の筆記面１０４ａに光を照射する。そして、光学系３０５が筆記面１０４ａからの反射光を集光して、集光された光をＣＣＤ３０４が１ライン毎に受光することで筆記面１０４ａに筆記された画像は画像データとして読み取られる。読み取られた画像データは画像処理部４１３で印刷データに変換されてＲＡＭ４０３に記憶される。そして、プリンタ１０８の駆動制御によりＲＡＭ４０３に記憶された印刷データに基づく画像が用紙に印刷され、用紙は排出される。
【００３０】
したがって、本実施の形態によれば、蛍光灯を使用しない電子黒板１０１を提供することができる。蛍光灯を使用しないため、不燃ごみとして埋め立て処分されてしまう蛍光灯の量を減らすことができるので、蛍光灯に含まれる水銀が環境に与える影響を少なくすることができる。また、蛍光灯を使用した場合に必要であるスタンバイ中の点灯も不必要となり、無駄な電力消費も減らすことができる。
【００３１】
次に、電子黒板１０１が備える照射部３０１の別の一例について説明する。
【００３２】
図６は、照射部３０１の別の一例を示す斜視図である。図６に示す照射部３０１が有する点光源３１２は、赤色ＬＥＤと緑色ＬＥＤと青色ＬＥＤとで構成された３色ＬＥＤである。そして、点光源３１２である３色ＬＥＤを構成する各色ＬＥＤが点灯回路４１２の動作によって同時に点灯して白色光が発せられる。また、点光源３１２である３色ＬＥＤは、点灯回路４１２の動作によって赤色ＬＥＤと緑色ＬＥＤと青色ＬＥＤとを切り替えて各色点灯することができる。
【００３３】
そして、本例の電子黒板１０１では、点灯回路４１２の動作によって点光源３１２である３色ＬＥＤを１ライン毎に切り替えて各色点灯させて、拡散導光体３１１に筆記面１０４ａに光を照射させ、スクリーン１０４の筆記面１０４ａに筆記された画像を画像データとしてＣＣＤ３０４に読み取らせることができる。
【００３４】
ここで、本例の電子黒板１０１では、このようにして読み取られた画像データに基づきカラー画像データを取得するカラー画像処理の実行が可能となっている。
【００３５】
なお、スクリーン１０４に照射する光の色を切り替えて読み取られた画像データに基づきカラー画像データを取得するカラー画像処理は、例えば、光源切り替え方式と称されて一般的に周知の技術である。以下に、本例の電子黒板１０１で画像処理部４１３により実行されるカラー画像処理について概略的に説明する。
【００３６】
本例の電子黒板１０１の画像処理部４１３が備えるメモリ部には、カラー画像処理の実行を可能にするため、カラー画像処理の実行に際して参照される設定内容を記憶するテーブルＴが格納されている。
【００３７】
図７は、テーブルＴを示す模式図である。テーブルＴは、点光源３１２である３色ＬＥＤの各「点灯色」において、筆記面１０４ａからの反射光をＣＣＤ３０４が受光した場合を「読取値＝１」と、受光しなかった場合を「読取値＝０」と設定している。また、テーブルＴは、各点灯色における読取値の結果に基づいて判定される画像データの色についても「結果」として設定している。
【００３８】
カラー画像処理の概略を説明する。例えば、筆記面１０４ａに筆記された画像に赤色のマーカーペンで筆記された部分がある場合、その部分については、点光源３１２である３色ＬＥＤの赤色点灯時には光が反射し、また、緑および青点灯時には光は吸収されて反射しない。つまり、その部分の画像データについて「点灯色・読取値」は、「赤・１」「緑・０」「青・０」となる。したがって、読み取られた画像データのその部分の色はテーブルＴの「結果」を参照して「赤」と判定される。
【００３９】
また、別の例として、「点灯色・読取値」が「赤・１」「緑・１」「青・０」である場合には、読み取られた画像データのその部分の色はテーブルＴの「結果」を参照して「黄」と判定される。
【００４０】
このようにして、ＣＣＤ３０４によって読み取られた画像データに色の情報が付与されることで、画像データに基づいてカラー画像データが取得される。
【００４１】
そして、本例の電子黒板１０１でも、蛍光灯を使用しない電子黒板を提供することができる。本例でも蛍光灯を使用しないため、不燃ごみとして埋め立て処分されてしまう蛍光灯の量を減らすことができ、蛍光灯に含まれる水銀が環境に与える影響を少なくすることができる。また、蛍光灯を使用した場合に必要であるスタンバイ中の点灯も不必要となり、無駄な電力消費も減らすことができる。
【図面の簡単な説明】
【００４２】
【図１】電子黒板を示す斜視図である。
【図２】電子黒板の内部構造を概略的に示す平面図である。
【図３】電子黒板の内部構造を概略的に示す正面図である。
【図４】照射部の一例を示す斜視図である。
【図５】電子黒板のハードウェア構成を示すブロック図である。
【図６】照射部の別の一例を示す斜視図である。
【図７】テーブルを示す模式図である。
【符号の説明】
【００４３】
１０１…電子黒板，１０４…スクリーン，２０１…ローラ（搬送部），３０４…ＣＣＤ（センサ），３０５…光学系，３１１…拡散導光体，３１２…点光源，３１５…光拡散材
【図１】
2007320048.tif 000003
【図２】
2007320048.tif 000004
【図３】
2007320048.tif 000005
【図４】
2007320048.tif 000006
【図５】
2007320048.tif 000007
【図６】
2007320048.tif 000008
【図７】
2007320048.tif 000009